【手続補正書】
【提出日】平成16年6月23日(2004.6.23)
【手続補正１】
【補正対象書類名】明細書
【補正対象項目名】特許請求の範囲
【補正方法】変更
【補正の内容】
【特許請求の範囲】
【請求項１】
遊技盤面上に球を打ち出す遊技で、所定の条件が成立すると価値発生手段により遊技者に有利な状態となるように前記遊技盤面上に配置された可変入賞口が一定回数開閉するように制御され、入賞し易い状態となる特別価値を付与可能にする遊技機において、
球が入賞し得る特定入賞口と、該特定入賞口への球の入賞に基づき各種図柄が表示される可変表示装置と、前記特定入賞口への球の入賞に基づき、無作為抽選を実行する無作為抽選手段と、該無作為抽選手段の結果に応じて、前記可変表示装置の表示内容を制御する表示制御手段と、前記特別価値を付与可能にする前記価値発生手段とを有し、
前記可変表示装置は、各種図柄を表示する複数の表示部を、複数あるライン上に並べて配置して成り、該可変表示装置では、前記特定入賞口への球の入賞に基づき、各表示部に各種図柄が変動表示された後、順次一の表示部ずつ任意の図柄が停止表示され、
前記無作為抽選手段の結果に応じて前記可変表示装置の表示内容を制御する表示制御手段による可変表示装置の表示の結果が、少なくとも通常当たりパターンの他、復活当たりパターンとなった際に、前記特別価値を付与可能に制御し、
前記無作為抽選手段は、前記通常当たりパターンのとき、前記可変表示装置の所定のライン上に並ぶ表示部にて、最後の一つの表示部を残して、既に停止表示された各表示部の図柄が一致するリーチ状態を経て、最後の一つの表示部に停止表示された図柄も一致する表示内容に前記表示制御手段によって制御し、
前記復活当たりパターンは、前記複数あるライン上に並べて配置された所定のライン上に並ぶ各表示部において、最後の一つの表示部を残して、既に停止表示された各表示部の図柄が一致するリーチ状態の時、最後の一つの表示部に図柄が停止表示され、該最後に停止された図柄と前記既に停止表示された各表示部の図柄が不一致でも、前記最後に停止表示された図柄と他のライン上の表示部に表示されている図柄とリーチ状態となった場合、前記最後に停止表示された一つだけ不一致の図柄が再び変動表示される復活リーチ状態となり、該復活リーチ状態から当りパターンの表示内容に前記表示制御手段によって制御されることを特徴とする遊技機。
【請求項２】
前記可変表示装置は、各種図柄を表示する複数の表示部を縦横に並ぶマトリクス状に配置したものであり、該可変表示装置の縦、横、斜めの各ライン上に並ぶ表示部毎に、少なくとも前記通常当たりパターン、復活当たりパターン、あるいは外れパターンが表示されることを特徴とする請求項１記載の遊技機。
【請求項３】
前記無作為抽選手段は、前記復活当たりパターンにおける前記復活リーチ状態を複数回繰り返して前記表示制御手段によって制御することを特徴とする請求項１記載の遊技機。
【手続補正２】
【補正対象書類名】明細書
【補正対象項目名】０００１
【補正方法】変更
【補正の内容】
【０００１】
【発明の属する技術分野】
遊技盤面上に球を打ち出す遊技で、所定の条件が成立すると価値発生手段により遊技者に有利な状態となるように前記遊技盤面上に配置された可変入賞口が一定回数開閉するように制御され、入賞し易い状態となる特別価値（以下単に特別価値と称す。）を付与可能にする遊技機、主にパチンコ機に関するものである。
【手続補正３】
【補正対象書類名】明細書
【補正対象項目名】０００８
【補正方法】変更
【補正の内容】
【０００８】
【課題を解決するための手段】
前述した目的を達成するための本発明の要旨とするところは、次の各項に存する。
［１］遊技盤面（１１）上に球を打ち出す遊技で、所定の条件が成立すると価値発生手段（３０）により遊技者に有利な状態となるように前記遊技盤面（１１）上に配置された可変入賞口が一定回数開閉するように制御され、入賞し易い状態となる特別価値を付与可能にする遊技機（１０）において、
球が入賞し得る特定入賞口（１２）と、該特定入賞口（１２）への球の入賞に基づき各種図柄が表示される可変表示装置（２０）と、前記特定入賞口（１２）への球の入賞に基づき、無作為抽選を実行する無作為抽選手段（５２）と、該無作為抽選手段（５２）の結果に応じて、前記可変表示装置（２０）の表示内容を制御する表示制御手段（５３）と、前記特別価値を付与可能にする前記価値発生手段（３０）とを有し、
前記可変表示装置（２０）は、各種図柄を表示する複数の表示部（２１〜２９）を、複数あるライン上に並べて配置して成り、該可変表示装置（２０）では、前記特定入賞口（１２）への球の入賞に基づき、各表示部（２１〜２９）に各種図柄が変動表示された後、順次一の表示部（２１〜２９）ずつ任意の図柄が停止表示され、
前記無作為抽選手段（５２）の結果に応じて前記可変表示装置（２０）の表示内容を制御する表示制御手段（５３）による可変表示装置（２０）の表示の結果が、少なくとも通常当たりパターンの他、復活当たりパターンとなった際に、前記特別価値を付与可能に制御し、
前記無作為抽選手段（５２）は、前記通常当たりパターンのとき、前記可変表示装置（２０）の所定のライン上に並ぶ表示部にて、最後の一つの表示部を残して、既に停止表示された各表示部の図柄が一致するリーチ状態を経て、最後の一つの表示部に停止表示された図柄も一致する表示内容に前記表示制御手段（５３）によって制御し、
前記復活当たりパターンは、前記複数あるライン上に並べて配置された所定のライン上に並ぶ各表示部において、最後の一つの表示部を残して、既に停止表示された各表示部の図柄が一致するリーチ状態の時、最後の一つの表示部に図柄が停止表示され、該最後に停止された図柄と前記既に停止表示された各表示部の図柄が不一致でも、前記最後に停止表示された図柄と他のライン上の表示部に表示されている図柄とリーチ状態となった場合、前記最後に停止表示された一つだけ不一致の図柄が再び変動表示される復活リーチ状態となり、該復活リーチ状態から当りパターンの表示内容に前記表示制御手段（５３）によって制御されることを特徴とする遊技機（１０）。
【手続補正４】
【補正対象書類名】明細書
【補正対象項目名】０００９
【補正方法】変更
【補正の内容】
【０００９】
［２］前記可変表示装置（２０）は、各種図柄を表示する複数の表示部（２１〜２９）を縦横に並ぶマトリクス状に配置したものであり、該可変表示装置（２０）の縦、横、斜めの各ライン上に並ぶ表示部毎に、少なくとも前記通常当たりパターン、復活当たりパターン、あるいは外れパターンが表示されることを特徴とする［１］記載の遊技機。
【手続補正５】
【補正対象書類名】明細書
【補正対象項目名】００１０
【補正方法】変更
【補正の内容】
【００１０】
［３］前記無作為抽選手段（５２）は、前記復活当たりパターンにおける前記復活リーチ状態を複数回繰り返して前記表示制御手段（５３）によって制御することを特徴とする［１］記載の遊技機。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１６
【補正方法】変更
【補正の内容】
【００１６】
すなわち、前記複数あるライン上に並べて配置された所定のライン上に並ぶ各表示部において、最後の一つの表示部を残して、既に停止表示された各表示部の図柄が一致するリーチ状態の時、最後の一つの表示部に図柄が停止表示され、該最後に停止された図柄と前記既に停止表示された各表示部の図柄が不一致でも、前記最後に停止表示された図柄と他のライン上の表示部に表示されている図柄とリーチ状態となった場合、前記最後に停止表示された一つだけ不一致の図柄が再び変動表示される復活リーチ状態となる。
【手続補正９】
【補正対象書類名】明細書
【補正対象項目名】００１８
【補正方法】変更
【補正の内容】
【００１８】
［２］記載の遊技機（１０）によれば、前記可変表示装置（２０）を、各種図柄を表示する複数の表示部（２１〜２９）を縦横のマトリクス状に配置したものとするので、該可変表示装置（２０）には、縦、横、斜めのそれぞれのライン上に並ぶ複数の表示部が生じる。
【手続補正１０】
【補正対象書類名】明細書
【補正対象項目名】００１９
【補正方法】変更
【補正の内容】
【００１９】
そして、複数の表示部（２１〜２９）毎に、前記通常当たりパターン、復活当たりパターン、あるいは外れパターンを表示させることができるので、例えば２以上のリーチ状態や、復活リーチ状態が同時に形成されることもあり、遊技のバリエーションを拡げることが可能となる。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】変更
【補正の内容】
【００２２】
［３］記載の遊技機（１０）によれば、無作為抽選手段（５２）は、復活当たりパターンにおける復活リーチ状態を複数回繰り返して表示制御手段（５３）によって抽選結果が当たりである制御がなされる。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】